(57)【要約】【課題】各施設の施設名称を、各施設への移動時間に基づく表示順序で表示する。【解決手段】複数の施設名称を表示するための装置であって、各施設の施設名称を、前記各施設への移動予想時間に基づく表示順序で画像表示装置に表示させる表示制御部を備える。また、前記表示制御部は、前記各施設への移動予想時間を、前記各施設名称に隣接して表示させる。また、前記表示制御部は、前記各施設の施設名称を、前記移動予想時間が短い順に表示させる。【選択図】    図６
2004340687.tif 000002
【特許請求の範囲】
【請求項１】
複数の施設名称を表示するための装置であって、
各施設の施設名称を、前記各施設への移動予想時間に基づく表示順序で画像表示装置に表示させる表示制御部を備える施設名称表示装置。
【請求項２】
前記表示制御部は、前記各施設への移動予想時間を、前記各施設名称に隣接して表示させる、請求項１に記載の施設名称表示装置。
【請求項３】
前記表示制御部は、前記各施設の施設名称を、前記移動予想時間が短い順に表示させる、請求項１又は２に記載の施設名称表示装置。
【請求項４】
前記表示制御部は、所定ポイントを含む所定範囲に存在する各施設の施設名称を、前記各施設への移動予想時間に基づく表示順序で画像表示装置に表示させる、請求項１から３のいずれかに記載の施設名称表示装置。
【請求項５】
自己が高速道路上に位置する場合には、前記所定ポイントは、その高速道路と一般道路との交差ポイントである、請求項４に記載の施設名称表示装置。
【請求項６】
前記所定ポイントは、前記交差ポイントのうちの自己の進行方向直近の交差ポイントである請求項５に記載の施設名称表示装置。
【請求項７】
センターから送信される、前記所定ポイントを含む所定範囲に存在する各施設の名称を受信する受信部をさらに備え、
前記表示制御部は、前記受信した各施設の施設名称を、前記各施設への移動予想時間に基づく表示順序で表示させる請求項４から６のいずれかに記載の施設名称表示装置。
【請求項８】
自己の現在地に対応する道路の道路リンクＩＤ、及び方向をセンターに送信する送信部をさらに備え、
前記受信部は、前記道路リンクＩＤ、及び方向を受信したセンターから送信される、前記所定ポイントを含む所定範囲に存在する各施設の名称を受信し、
前記表示制御部は、前記受信した各施設の施設名称を、前記各施設への移動予想時間に基づく表示順序で表示させる請求項７に記載の施設名称表示装置。
【請求項９】
請求項１から８のいずれかに記載の施設名称表示装置を搭載した車両。
【請求項１０】
所定範囲に存在する複数の施設を検索する施設検索部と、
特定地点と前記検索された各施設それぞれとの間の経路を検索する経路検索部と、
前記検索された各経路に基づいて前記特定地点から前記検索された各施設それぞれへの移動予想時間を算出する算出部と、
前記算出された各施設への移動予想時間に基づいて前記検索された各施設の施設名称の表示順序を決定する決定部と、
前記決定された表示順序の各施設名称を含む施設名称リストを作成する作成部と、
を備えるセンター。
【請求項１１】
前記経路検索部は、特定地点と前記検索された各施設それぞれとの間の公共交通機関を利用した場合の経路を検索する請求項１０に記載のセンター。
【請求項１２】
複数の施設名称を表示するための方法であって、
各施設の施設名称を、前記各施設への移動予想時間に基づく表示順序で画像表示装置に表示させる施設名称表示方法。
【請求項１３】
複数の施設名称を表示するためのプログラムであって、
各施設の施設名称を、前記各施設への移動予想時間に基づく表示順序で画像表示装置に表示させるステップをコンピュータに実行させるための施設名称表示プログラム。
【請求項１４】
複数の施設名称を表示するためのシステムであって、
センターと施設名称表示装置とを備え、
前記センターは、
所定範囲に存在する複数の施設を検索する施設検索部と、
特定地点と前記検索された各施設それぞれとの間の経路を検索する経路検索部と、
前記検索された各経路に基づいて前記特定地点から前記検索された各施設それぞれへの移動予想時間を算出する算出部と、
前記算出された各施設への移動予想時間に基づいて前記検索された各施設の施設名称の表示順序を決定する決定部と、
前記決定された表示順序の各施設名称を含む施設名称リストを作成する作成部と、
を備え、
前記施設名称表示装置は、
前記センターから前記作成された施設名称リストを取得する取得部と、
前記取得した施設名称リストに基づいて、前記各施設の施設名称を、前記各施設への移動予想時間に基づく表示順序で画像表示装置に表示させる表示制御部と、
を備える施設名称表示システム。
【発明の詳細な説明】
【０００１】
【発明の属する技術分野】
本発明は、複数の施設名称を表示するための技術に関する。
【０００２】
【従来の技術】
従来のナビゲーションシステム等で周辺施設等の探索をした場合、現在地からの直線距離で近い順に施設をリストアップし表示する。しかしながら、現実には直線距離と移動時間とが比例関係になるとは限らない（例えば高速道路移動時）。また、周辺の道路混雑状況や交通手段によっても大幅に違ってくる。これらを解決するには、移動距離順から移動時間順に施設名称を表示させることが必要である。なお、各ノード及びリンクまでの所要時間等を算出する技術が提案されている（特許文献１参照）。
【０００３】
【特許文献１】
特開平１０−１４１９７５号公報
【０００４】
【発明が解決しようとする課題】
本発明の課題は、各施設の施設名称を、各施設への移動時間に基づく表示順序で表示することにある。
【０００５】
【課題を解決するための手段】
本発明は、上記課題を解決するためになされたものであり、複数の施設名称を表示するための施設名称表示装置であって、各施設の施設名称を、前記各施設への移動予想時間に基づく表示順序で画像表示装置に表示させる表示制御部を備える構成とした。
【０００６】
本発明によれば、各施設の施設名称を、各施設への移動時間に基づく表示順序で表示することが可能となる。
【０００７】
また、上記施設名称表示装置においては、例えば、前記表示制御部は、前記各施設への移動予想時間を、前記各施設名称に隣接して表示させる。このようにすれば、これを閲覧した利用者は施設名称が移動予想時間に基づいて整列していることを極めて容易に認識できる。
【０００８】
また、上記施設名称表示装置においては、前記表示制御部は、前記各施設の施設名称を、前記移動予想時間が短い順に表示させる。これは、各施設への移動時間に基づく表示順序の一例を示したものである。従って、前記表示制御部は、前記各施設の施設名称を、前記移動予想時間が長い順に表示させるようにしてもよいし、それ以外の順に表示させるようにしてもよい。
【０００９】
前記各施設の施設名称（施設名称リスト）は各種用途に用いられる。例えば、前記画像表示装置に表示される前記各施設の施設名称のうちの少なくとも一つを利用者に選択させる選択部と、前記選択された施設名称に対応する位置を目的地として設定する目的地設定部をさらに備えることが考えられる。このようにすれば、例えば、施設名称リストを閲覧した利用者は最短時間で到着し得る施設を迅速に判別して、これを目的地として設定することが可能となる。また、前記画像表示装置に表示される前記各施設の施設名称のうちの少なくとも一つを利用者に選択させる選択部と、前記選択された施設名称に対応する施設情報を取得する施設情報取得部をさらに備えることが考えられる。このようにすれば、例えば、施設名称リストを閲覧した利用者は最短時間で到着し得る施設の施設情報（例えばメニューや提供サービス等の詳細情報）を確認することが可能となる。
【００１０】
また、上記施設名称表示装置においては、例えば、前記表示制御部は、所定ポイントを含む所定範囲に存在する各施設の施設名称を、前記各施設への移動予想時間に基づく表示順序で画像表示装置に表示させる。前記所定ポイントは、例えば、利用者により指定されたポイント（例えば出発地や目的地）であってもよいし、現在地（施設名称表示装置又はこれが搭載された移動体の現在地）であってもよいし、その他のポイントであってもよい。また、自己が高速道路上に位置する場合には、前記所定ポイントは、その高速道路と一般道路との交差ポイント（例えばこの交差ポイントのうちの自己の進行方向直近の交差ポイント）である。
【００１１】
このようにすれば、従来、現在地を中心とする施設検索を行った場合に生ずる不都合を解消し得る。即ち、従来、自己が高速道路に位置（高速道路走行中）している場合に施設検索を行うと、現在位置を中心とした距離に基づく施設（例えば高速道路脇の施設）が検索された。しかしながら、施設検索時点の自己位置と最寄りポイント（交差ポイント）との間の距離が比較的遠距離である場合には、その検索された施設に立ち寄るには相当の時間を要することとなる。このため、実用的な検索結果を得ることができないという問題があった。
【００１２】
これに対して、上記施設名称表示装置においては、自己が高速道路上に位置する場合には、前記所定ポイントは、自己が位置する高速道路と一般道路との交差ポイントである。即ち、自己が高速道路に位置（高速道路走行中）している場合には、その交差ポイントを含む所定範囲内に存在する施設の名称を移動時間に基づく表示順序で表示させることが可能となる。従って、利用者は最短の時間で到達可能な施設名称を把握することが可能となる。
【００１３】
また、上記施設名称表示装置においては、例えば、センターから送信される、前記所定ポイントを含む所定範囲に存在する各施設の名称を受信する受信部をさらに備え、前記表示制御部は、前記受信した各施設の施設名称を、前記各施設への移動予想時間に基づく表示順序で表示させる。
【００１４】
このようにすれば、センター等で検索等された、所定ポイントを含む所定範囲に存在する各施設の名称を、前記各施設への移動予想時間に基づく表示順序で表示させることが可能となる。この場合、施設名称表示装置で、これら名称を検索する必要はない。
【００１５】
また、上記施設名称表示装置においては、例えば、自己の現在地に対応する道路の道路リンクＩＤ、及び方向をセンターに送信する送信部をさらに備え、前記受信部は、前記道路リンクＩＤ、及び方向を受信したセンターから送信される、前記所定ポイントを含む所定範囲に存在する各施設の名称を受信し、前記表示制御部は、前記受信した各施設の施設名称を、前記各施設への移動予想時間に基づく表示順序で表示させる。
【００１６】
このようにすれば、センターは、道路リンクＩＤにより、施設名称表示装置（又はこれを搭載した移動体）が位置している道路の種別（例えば高速道路）を把握できる。また、センターは、方向により、施設名称表示装置（又はこれを搭載した移動体）の移動方向（上り又は下り）を把握できる。従って、センターは、その進行方向直近で一般道路と交差するポイント（所定ポイント）を検索等できる。
【００１７】
本発明は、上記施設名称表示装置を搭載した車両、その他の移動体としても特定することができる。
【００１８】
また、本発明は、センターの発明として次のように特定することができる。
【００１９】
所定範囲に存在する複数の施設を検索する施設検索部と、特定地点と前記検索された各施設それぞれとの間の経路を検索する経路検索部と、前記検索された各経路に基づいて前記特定地点から前記検索された各施設それぞれへの移動予想時間を算出する算出部と、前記算出された各施設への移動予想時間に基づいて前記検索された各施設の施設名称の表示順序を決定する決定部と、前記決定された表示順序の各施設名称を含む施設名称リストを作成する作成部と、を備えるセンター。
【００２０】
上記センターにおいては、例えば、前記経路検索部は、特定地点と前記検索された各施設それぞれとの間の公共交通機関を利用した場合の経路を検索する。
【００２１】
また、本発明は、方法の発明として次のように特定することができる。
【００２２】
複数の施設名称を表示するための方法であって、各施設の施設名称を、前記各施設への移動予想時間に基づく表示順序で画像表示装置に表示させる施設名称表示方法。
【００２３】
また、本発明は、プログラムの発明として次のように特定することができる。
【００２４】
複数の施設名称を表示するためのプログラムであって、各施設の施設名称を、前記各施設への移動予想時間に基づく表示順序で画像表示装置に表示させるステップをコンピュータに実行させるための施設名称表示プログラム。
【００２５】
また、本発明は、このプログラムを記録した記録媒体の発明としても特定することができる。
【００２６】
また、本発明は、システムの発明として次のように特定することができる。
【００２７】
複数の施設名称を表示するためのシステムであって、センターと施設名称表示装置とを備え、前記センターは、所定範囲に存在する複数の施設を検索する施設検索部と、特定地点と前記検索された各施設それぞれとの間の経路を検索する経路検索部と、前記検索された各経路に基づいて前記特定地点から前記検索された各施設それぞれへの移動予想時間を算出する算出部と、前記算出された各施設への移動予想時間に基づいて前記検索された各施設の施設名称の表示順序を決定する決定部と、前記決定された表示順序の各施設名称を含む施設名称リストを作成する作成部と、を備え、前記施設名称表示装置は、前記センターから前記作成された施設名称リストを取得する取得部と、前記取得した施設名称リストに基づいて、前記各施設の施設名称を、前記各施設への移動予想時間に基づく表示順序で画像表示装置に表示させる表示制御部と、を備える施設名称表示システム。
【００２８】
【発明の実施の形態】
以下、本発明の実施の形態について図面を参照しながら説明する。図１は、施設名称表示システムの概略システム構成を説明するための図である。
【００２９】
本システムは、移動端末１００、及びセンター（基地局ともいう）２００を備えている。両者はそれぞれ通信機能を備えており、両者間でデータ通信を行えるようになっている。
【００３０】
図２は、移動端末１００の概略ハード構成を説明するための図である。
【００３１】
移動端末１００は、車両等の移動体に搭載される情報処理端末、例えば、目的地（又は経由地）への経路を案内する機能を有する、いわゆるカーナビゲーション装置である。本実施形態においては、移動体が車両であり、移動端末１００がその車両に搭載されている例について説明する。
【００３２】
移動端末１００は、その全体の動作を司るＣＰＵ１０１、このＣＰＵ１０１にバス等を介して接続された、ＧＰＳ受信機１０２、ジャイロセンサ１０３、プログラムメモリ１０４、ワークメモリ１０５、地図ＤＢ１０６、通信ＩＦ（インターフェース）１０７、及び通信装置１０８等を備えている。ＣＰＵ１０１は、所定プログラムを実行することにより、本発明の表示制御部として機能する。
【００３３】
ＧＰＳ受信機１０２は、ＧＰＳアンテナを介してＧＰＳ衛星から受信した信号に基づいて移動端末１００（又はこれが搭載されている車両）の現在地（現在位置ともいう）を検出するためのものである。ジャイロセンサ１０３は、方位を検出するためのセンサである。プログラムメモリ１０４は、ＣＰＵ１０１により実行されるプログラム等が格納されるメモリである。ワークメモリ１０５は、プログラムの実行に際して生成される一時的な作業用ファイル等が格納されるメモリである。地図ＤＢ１０６には、地図データ（地図表示用データや道路リンクＩＤ等を含む）等が所定フォーマットで格納されている。
【００３４】
移動端末１００には、通信ＩＦ（インターフェース）１０７を介して、携帯電話機等の通信装置１０８が接続されている。なお、通信装置１０８としては、携帯電話機に代えて、無線ＬＡＮによる通信装置等の各種の通信装置を適用することが可能である。また、移動端末１００には、所定ＩＦを介して、液晶ディスプレイやＣＲＴディスプレイ等の画像表示装置１０９が接続されている。この画像表示装置１０９にはその表示面に施設名称リスト（図６参照）等の各種画面が表示される。
【００３５】
次に、センター２００の構成について図面を参照しながら説明する。図１に示すように、センター２００は、経路探索サーバ２０１、ＰＯＩサーバ２０２、交通情報サーバ２０３、及び公共交通機関経路検索２０４等を備えている。これらは、ＬＡＮ等を介して相互に接続されている。
【００３６】
経路検索サーバ２０１は、特定地点間（例えば車両出発地と目的地との間や、車両現在位置と周辺施設との間）の経路を検索するためのものである。この経路探索のために、経路検索サーバ２０１は、経路検索用データ（各道路の道路リンクＩＤ及び道路種別等を含む）等が格納されている地図ＤＢ２０１ａにアクセスする。
【００３７】
ＰＯＩサーバ２０２は、観光地や各種施設の情報（ＰＯＩ情報：Ｐｏｉｎｔ  ｏｆ  Ｉｎｔｅｒｅｓｔ）を管理するためのものである。この管理のために、ＰＯＩサーバ２０２は、ＰＯＩ情報が格納されているＰＯＩＤＢ（施設ＤＢともいう）２０２ａにアクセスする。図３に示すように、ＰＯＩＤＢ２０２ａは、各施設ごとに、施設名称、住所、電話番号、施設座標、及び接続道路リンクＩＤ等の項目からなる。
【００３８】
交通情報サーバ２０３は、各地の道路交通情報（通行規制や渋滞状況等）を管理するためのものである。この管理のために、交通情報サーバ２０３は、道路交通情報が格納されている交通情報ＤＢ２０３ａにアクセスする。また、交通情報サーバ２０３は、外部（外部端末等）から最新の道路交通情報を逐次取得し、これを交通情報ＤＢ２０３ａに格納する。このため、この交通情報ＤＢ２０３ａを参照することで、経路検索サーバ２０１は、最新の道路交通情報を考慮した経路検索が可能となっている。例えば、渋滞箇所を通過しない経路検索が可能である。
【００３９】
公共交通機関経路検索サーバ２０４は、特定地点間（例えば出発地と目的地との間や、現在地と周辺施設との間）の公共交通機関を利用した場合の経路を探索するためのものである。この経路探索のために、公共交通機関経路検索サーバ２０４は、経路探索用データ等が格納されている時刻表ＤＢ２０４ａにアクセスする。
【００４０】
次に、上記構成の施設名称表示システムの動作について図面を参照しながら説明する。図４は、施設名称表示システムの動作を説明するためのフローチャートである。本フローチャートは、移動端末１００に周辺探索の要求が入力された場合に開始する。
【００４１】
移動端末１００に施設の検索条件（ジャンル等）、及び周辺探索要求が入力されると、移動端末１００は、ＧＰＳ受信機１０２等により検出した現在地（東経・北緯等）、ジャイロセンサ１０３等により検出した方向（上り、下り）、地図ＤＢ１０６より取得した現在地に対応する道路の道路リンクＩＤ、及びユーザＩＤ等を、センター２００に送信（アップロード）する（Ｓ１００）。このように、移動時間を計算するときの初期条件として道路リンクＩＤ、方向（上り、下り）を加えることにより、現在地に対応する道路が高速道路等の自動車専用道路である場合でも、移動時間を考慮可能となっている。
【００４２】
センター２００は、移動端末１００から送信される現在地や道路リンクＩＤ等を受信し、その現在地に対応する道路が高速・有料道路か否かを判定する（Ｓ１０１）。この判定は、その道路リンクＩＤと地図ＤＢ２０１ａとを照合することで行う。地図ＤＢ２０１ａには、各道路の道路リンクＩＤ及び道路種別（一般道路、高速・有料道路等の識別情報）、即ち道路リンクＩＤと道路種別との対応関係が格納されている。このため、その道路リンクＩＤと地図ＤＢ２０１ａとを照合することで、その現在地に対応する道路が高速・有料道路か否かを判定できる。図５は、センター２００が管理するユーザーごとの管理情報を示している。
【００４３】
その現在地に対応する道路が高速・有料道路であると判定された場合には（Ｓ１０１：Ｙｅｓ）、センター２００は、一般道路へのアクセスポイント（その現在地に対応する高速・有料道路と一般道路とが交差するポイント）を検索する（Ｓ１０２）。この検索されたアクセスポイントは、周辺検索を行う範囲を定める基準位置として用いられる。一般道路へのアクセスポイントとしては、各種のポイントが考えられる。例えば、その現在地に対応する高速・有料道路と一般道路とが交差するポイントのうちの直近（例えば進行方向直近）のものをアクセスポイントとすることが考えられる。なお、進行方向については、移動端末１００から受信した方向により判別可能である。
【００４４】
また、目的地への経路が検索されている場合には、その経路上における、その現在地に対応する高速・有料道路と一般道路とが交差するポイントをアクセスポイントとすることが考えられる。なお、これらのアクセスポイントは、地図ＤＢ２０１ａを利用することで検索可能である。
【００４５】
アクセスポイントが検索されると、センター２００は、ＰＯＩサーバ２０２により、そのアクセスポイントを含む所定範囲（例えばそのアクセスポイントを中心とする半径５ｋｍの範囲）に存在する特定ジャンル（移動端末１００から受信したジャンル）に分類された施設を検索する。地図ＤＢ２０２ａには、施設名称と施設座標との対応関係が格納されている（図３参照）。このため、その所定範囲と各施設座標とを比較することで、その所定範囲に存在する施設（施設名称等）を検索できる。
【００４６】
一方、現在地に対応する道路が高速・有料道路でないと判定された場合には（Ｓ１０１：Ｎｏ）、現在地を含む所定範囲（例えば現在地を中心とする半径５ｋｍの範囲）に存在する施設が検索される。また、センター２００が移動端末１００から施設検索範囲を指定するデータ（例えば現在地又は目的地等の所定位置を中心とする所定範囲）を受信した場合には、Ｓ１０１及びＳ１０２の処理を行うことなく、その指定範囲に存在する施設が検索される。
【００４７】
以上の検索により、所定範囲内に存在する施設の位置（施設座標及び施設名称等）が得られる。所定範囲内に存在する施設の位置としては、複数検索されることもあるし、一つだけ検索されることもあるし、全く検索されないこともある。ここでは、複数の施設の位置が検索されたものとする。
【００４８】
複数の施設の位置が検索されると、センター２００は、経路検索サーバ２０１により、現在地と上記検索された複数の施設位置それぞれの間の経路を検索する（Ｓ１０４）。ここでは、経路検索に際して交通情報ＤＢ２０３ａが参照されるため、最新の道路交通情報（例えば渋滞時間）を考慮した経路が検索される。これにより、各経路の経路長が得られるため、各施設への移動予想時間（旅行時間ともいう）を算出することが可能となる。各施設への移動予想時間は各種の方法で算出できる。例えば、経路ごとに、経路長／標準車速（予め設定されている車速。例えば６０ｋｍ。）により算出することが考えられる。また、経路ごとに、経路長／最新の道路交通情報を考慮した走行可能車速（道路交通状況に基づいてその都度算出される車速。）により算出することが考えられる。各施設への移動予想時間は、ＰＯＩＤＢ２０２ａ中の該当する施設名称等に関連付けて保持される。
【００４９】
各施設への移動予想時間が算出されると、センター２００は、各施設名称の表示順序を決定する。この決定のため、センター２００は、各施設への移動予想時間に基づいて施設名称等をソートする（Ｓ１０５）。ここでは、センター２００は、各施設への移動予想時間の短い順に施設名称をソートするものとする。これにより、各施設名称の表示順序が決定される。図６は、移動予想時間の短い順にソートした例を示している。左列の「ダ・ナザレノ」等が施設名称を、右列の「１０分」等が施設への移動予想時間を、それぞれ表している。
【００５０】
施設名称の表示順序が決定されると、センター２００は、その表示順序の施設名称リスト（各施設名称及び各施設への移動予想時間を含む）を作成し、これを移動端末２００に送信する（Ｓ１０６）。移動端末１００は、通信装置１０８により、センター２００から送信される施設名称リストを受信する。ＣＰＵ１０１（表示制御部）は、その受信した施設名称リストに基づいて、各施設の施設名称を、各施設への移動予想時間に基づく表示順序で画像表示装置１０９に表示させる。これにより、画像表示装置１０９の表示面に施設名称リストが表示される。即ち、各施設名称がセンター２００で決定された、各施設への移動予想時間に基づく表示順序（ここでは、各施設の移動予想時間の短い順）で表示される。さらに、各施設名称に隣接して各施設への移動予想時間が表示される（図６参照）。
【００５１】
この施設名称リストは、各種用途に用いられる。例えば、施設名称リストのうちのいずれかの施設名称を利用者に選択させ、その選択された施設名称を目的地（又は経由地）として設定することが考えられる。また、その選択された施設名称に対応する詳細情報を表示することが考えられる。
【００５２】
（変形例）
【００５３】
次に、本発明の実施形態の変形例について説明する。
【００５４】
上記実施形態においては、施設名称リストを移動端末１００に接続されている画像表示装置１０９に表示するように説明したが、本発明は、これに限定されない。例えば、図１に示すように、施設名称リストを、個人宅やオフィス等に設置されている据え置きタイプの情報処理端末ＣＰ１又はＣＰ２に接続された画像表示装置Ｄ１又はＤ２に表示するようにしてもよい。この場合、例えば、情報処理端末ＣＰ１又はＣＰ２に、施設検索範囲を指定するデータ（例えば出発地又は目的地等の所定位置を中心とする所定範囲）、施設の検索条件（ジャンル等）、及び周辺探索要求等を入力する。センター２００は、移動端末１００から施設検索範囲を指定するデータ等を受信した場合には、Ｓ１０１及びＳ１０２の処理を行うことなく、その指定範囲に存在する施設を検索する。以後、上記Ｓ１０３からＳ１０６で説明した処理と同様の処理が行われる。従って、最終的に、情報処理端末ＣＰ１又はＣＰ２は、センター２００から送信される施設名称リストを受信し、これを画像表示装置Ｄ１又はＤ２に表示する。これにより、画像表示装置Ｄ１又はＤ２の表示面に施設名称リストが表示される。即ち、各施設名称がセンター２００で決定された表示順序（ここでは、各施設の移動予想時間の短い順）表示される。さらに、各施設名称に隣接して各施設への移動予想時間が表示される（図６参照）。
【００５５】
また、上記実施形態においては、複数の施設の位置が検索されると、センター２００は、経路検索サーバ２０１により、現在地と上記検索された複数の施設位置それぞれの間の経路を検索する（Ｓ１０４）ように説明したが、本発明はこれに限定されない。例えば、複数の施設の位置が検索されると、センター２００は、公共交通機関経路探索サーバ２０４により、現在地と上記検索された複数の施設位置それぞれの間の公共交通機関を利用した場合の経路を検索するようにしてもよい。
【００５６】
以後、上記Ｓ１０５からＳ１０６で説明した処理と同様の処理が行われる。従って、この場合も、最終的に、移動端末１００は、センター２００から送信される施設名称リストを受信し、これを画像表示装置１０９に表示する。即ち、各施設名称がセンター２００で決定された表示順序（ここでは、各施設の移動予想時間の短い順）表示される。さらに、各施設名称に隣接して各施設への移動予想時間が表示される（図６参照）。
【００５７】
また、上記実施形態においては、移動体が車両であるように説明したが、本発明はこれに限定されない。例えば、移動体は、ＰＤＡ、ノート型パソコン、又は携帯電話機等の移動可能な携帯型の情報端末等であってもよい。
【００５８】
本発明は、その精神または主要な特徴から逸脱することなく、他の様々な形で実施することができる。このため、上記の実施形態はあらゆる点で単なる例示にすぎず、これらの記載によって本発明が限定的に解釈されるものではない。
【００５９】
【発明の効果】
以上説明したように、本発明によれば、各施設の施設名称を、各施設への移動時間に基づく表示順序で表示することが可能となる。
【図面の簡単な説明】
【図１】本発明の実施の形態である施設名称表示システムの概略システム構成を説明するための図である。
【図２】移動端末の概略ハード構成を説明するための図である。
【図３】ＰＯＩＤＢ（施設ＤＢ）の構成を説明するための図である。
【図４】施設名称表示システムの動作を説明するためのフローチャートである。
【図５】センターが管理するユーザーごとの管理情報の例である。
【図６】各施設への移動予想時間に基づく各施設名称の表示例である。
【符号の説明】
１００      移動端末
１０１      ＣＰＵ
１０２      ＧＰＳ受信機
１０３      ジャイロセンサ
１０４      プログラムメモリ
１０５      ワークメモリ
１０６      地図ＤＢ
１０７      通信ＩＦ
１０８      通信装置
１０９      画像表示装置
２００      センター
２０１      経路検索サーバ
２０１ａ    地図ＤＢ
２０２      ＰＯＩサーバ
２０２ａ    ＰＯＩＤＢ（施設ＤＢ）
２０３      交通情報サーバ
２０３ａ    交通情報ＤＢ
２０４      公共交通機関経路検索サーバ
２０４ａ    時刻表ＤＢ
【図１】
2004340687.tif 000003
【図２】
2004340687.tif 000004
【図３】
2004340687.tif 000005
【図４】
2004340687.tif 000006
【図５】
2004340687.tif 000007
【図６】
2004340687.tif 000008